(57)【要約】　　　（修正有）【課題】水道水や、水道水で割った焼酎，ウィスキー等の飲物等をコップ等に注いだとき、撹拌することにより、容易かつ迅速に飲物をおいしくする浄水作用を有する撹拌棒を提供する。【解決手段】側壁に孔を多数穿設し、内部空間に浄水材からなる球体を複数個収納した中空状の棒体１の一端に摘みキャップ４を嵌合させ、前記中空状の棒体の他端にはストッパー２を嵌合させた浄水作用を有する撹拌棒である。　浄水材３はトルマリンセラミックからなるか、あるいはトルマリンセラミックのほかに活性炭及び、又はイオン交換体を含むものとする。【選択図】図１
0003100332.tif 000002
【実用新案登録請求の範囲】
【請求項１】
　側壁に孔を多数穿設し、内部空間に浄水材からなる球体を複数個収納した中空状の棒体の一端に摘みキャップを嵌合させ、前記中空状の棒体の他端にはストッパーを嵌合させてなることを特徴とする浄水作用を有する撹拌棒。
【請求項２】
　洗浄材がトルマリンセラミックからなるか、あるいはトルマリンセラミックのほかに活性炭及び、又はイオン交換体を含むことを特徴とする請求項１記載の浄水作用を有する撹拌棒。
【考案の詳細な説明】
【技術分野】
【０００１】
　本考案は、水道水又は焼酎やウィスキー等の水割り、その他の飲物の撹拌に用いる撹拌棒、いわゆるマドラーに関するものであり、特に浄水作用を有する撹拌棒に関する。
【背景技術】
【０００２】
　水道水は、一般に残留塩素による特有の臭いがあり、その他の飲用水でも特有の臭いや味を有することがあり、これらの臭いや味を除去するため家庭用の浄水器が市販されている。これら市販の浄水器は一般に水道の蛇口に、直接取り付ける構造であったり、ポット形式であったりするが容器が大型化し、構造が複雑化するため分解洗浄が面倒で、雑菌や汚れが溜まり易く、清潔に維持できないという欠点があった。
【０００３】
　そこで、飲用時に、コップ等に入れた飲物を単に撹拌することで簡単に残留塩素や、その他の不快臭を除去し美味な水を得ることができるマドラーが提案されている。
　この考案は、人体に無害な浄化物資が水中で溶出可能に形成された添加部材と、該添加部材を収納する内部空間が設けられており、該内部空間が外部と連通可能に形成された収納部材と、先端に前記収納部材を着脱可能に取り付ける撹拌棒よりなる。ここで、浄化物質としてアスコルビン酸を用いることが好ましいとしている。（例えば特許文献１参照）。
【０００４】
【特許文献１】実開昭６１−１４８２４５号公報
【考案の開示】
【考案が解決しようとする課題】
【０００５】
　前記考案では、撹拌棒の一端にのみ収納部材が取付けられており、浄化物質と飲物との接触面積が限られており、水質の浄化にはかなりの手間をかける必要がある。また、浄化物質にアスコルビン酸を使用しているが、撹拌棒を貯蔵中にアスコルビン酸が空気等により酸化して効果が減退するおそれは否定できない。
　本考案は、浄化物質と飲物との接触面積を大きくし、撹拌による飲物の浄化作用がより効率的に実行できるようにするとともに、長期間使用または保存しても変質するおそれのない浄化物質を備えた撹拌棒を提供しようとするものである。
【課題を解決するための手段】
【０００６】
　上記課題を解決するために本考案は以下のことを最も主要な特徴とする。
（１）側壁に孔を多数穿設し、内部空間に浄水材３からなる球体を複数個収納した中空状の棒体の一端に摘みキャップを嵌合させ、前記中空状の棒体の他端にストッパーを嵌合させてなることを特徴とする浄水作用を有する撹拌棒である。
（２）浄水材３がトルマリンセラミックからなるか、あるいはトルマリンセラミックのほかに、活性炭及び、又はイオン交換体を含むことを特徴とする前項１記載の浄水作用を有する撹拌棒である。
【０００７】
　ここで、トルマリンセラミックとは、トルマリン粉末の他に各種ゼオライトや造粒剤等を加えボール状に成形し、多孔質体となるよう焼結したものである。
　活性炭は木炭，やし殻，鋸屑などの木質あるいは竹炭，石炭などを原料として活性化したものが含まれる。
　イオン交換体はイオン交換現象を示す物質であって、モルデナイト，クリノプチロライト等のゼオライトのほか、イオン交換樹脂類が含まれる。
【０００８】
　浄水材３としてトルマリンセラミックを用いることで消臭脱臭効果が期待されるほか、抗菌効果が期待されることから、活性炭やイオン交換体に微生物や汚れが蓄積することを防止しようとするものである。
【０００９】
　本考案の浄水作用を有する撹拌棒の使用法は以下のとおりである。該撹拌棒の上端部に取付けられた摘みキャップ４を持ち、下端部をコップ等の容器に入れ、摘みキャップ４を摘んで容器内の飲物を撹拌することにより、穴１ａ，１ａ…より飲物を流通させて浄水材３，３…に接触させ、不快臭を有する物質を分解又は吸着除去するものである。或いは、特に撹拌しなくても穴１ａ，１ａ…を飲物が流通循環すれば飲物は浄化され美味となる。
【考案を実施するための最良の形態】
【００１０】
　本考案の最良の形態としては、中空状の棒体として透明なプラスチック製のものを用いることで、内部空間に収納されている浄水材３からなる球体の状態を常に外部から観察できるようにすることである。浄水材３の汚染が顕著となればストッパー２を取外し、浄水材３を新しいものと交換する。
【実施例１】
【００１１】
　次に本考案の実施例を図に基づいて説明する。
　図１は、本考案の実施例を示す斜視図である。透明で中空状の棒体１は通常プラスチック製である。しかし、ガラス管を用いても良い。
　中空状の棒体１の上端には摘みキャップ４が嵌合されており、中空状の棒体１の下端にはストッパー２が嵌合されている。中空状の棒体１の側面の約下半分には穴１ａ，…が多数穿設されている。また、中空状の棒体１の内部空間には浄水材３からなる球体が複数個収納されている。
【００１２】
　図２は、本考案の実施例を示す縦断面図である。浄水材３を球体としたことで、撹拌棒で飲物を撹拌したとき、孔１ａ…から流入した飲物が浄水材３に抵抗を受けることなし接触して浄化される。
【００１３】
　図３は本考案を構成する構成部材の斜視図である。
　（ａ）は、中空状の棒体１を示し、１ａ，１ａ…は孔である。
　（ｂ）は、ストッパー２である。
　（ｃ）は、摘みキャップ４である。
【産業上の利用可能性】
【００１４】
　（１）水道の蛇口等に取付けた浄水器を用いて浄化しなくても、水や飲物を美味に飲用することができる。
　（２）撹拌するだけで良いから、コップ等に入れた水や飲物を容易かつ迅速においしくできる。
　（３）中空状の棒体を透明にすることで収納されている浄水材３の状態が目視でき、浄水材３の交換に有用でる。
　（４）構造が簡単で安価に製作できると共に、洗浄が容易で清潔に維持できる。
　（５）浄水材３として活性炭又はイオン交換体を用いたとき、これらが雑菌の繁殖媒体となるおそれがあるが、抗菌作用を有するトルマリンセラミックが共存すると雑菌の繁殖が妨害され、撹拌棒が清潔に維持できる。
【図面の簡単な説明】
【００１５】
【図１】本考案の実施例を示す斜視図である。
【図２】本考案の実施例を示す縦断面図である。
【図３】構成部材の斜視図である。
【符号の説明】
【００１６】
　１　中空状の棒体
　１ａ　孔
　２　ストッパー
　３　浄水材
　４　摘みキャップ
【図１】
0003100332.tif 000003
【図２】
0003100332.tif 000004
【図３】
0003100332.tif 000005